(57)【要約】【課題】本発明は、船体内の垂直トランク内でスラスタカニスタとともに上下移動可能に設けられる船舶用フロア装置に関する。【解決手段】本発明によるフロア装置は、船舶の垂直トランク内の上側空間、即ち、スラスタカニスタの上方に設けられるフロアフレームを含み、このフロアフレームは垂直トランクに沿って上下移動可能に設けられる。フロアフレームの側面が垂直トランクの側壁に沿って案内されながら上下移動するように設けられ、特に、垂直トランクの側壁にはフロアフレームの側面を案内する少なくとも一対のガイドフレームが対称的に設けられる。【選択図】図１
2013540638.tif 000002
【特許請求の範囲】
【請求項１】
船体内の垂直トランクに設けられる船舶用フロア装置であって、
前記垂直トランク内に、上下方向に移動可能に設けられたフロアフレームを含み、
前記フロアフレームは、前記垂直トランク内で上下移動可能に設けられたスラスタカニスタの上下移動に連動して少なくとも一部区間に亘ってともに上下方向に移動することを特徴とする船舶用フロア装置。
【請求項２】
前記船舶は極地用ドリルシップであり、
前記フロアフレームは船体のメインデッキの下部に隣接した前記垂直トランクの上側空間に設けられ、前記フロアフレーム上にはコンテナの積み込みが可能で、前記コンテナに収容された貨物の荷役を船体の内部で行うことができることを特徴とする請求項１に記載の船舶用フロア装置。
【請求項３】
前記垂直トランクの側壁に設けられ、前記フロアフレームをガイドする少なくとも一対のガイドフレームをさらに含むことを特徴とする請求項１に記載の船舶用フロア装置。
【請求項４】
前記ガイドフレームの下部には、前記フロアフレームを支持し、前記フロアフレームの下方への移動を制限する少なくとも一対の支持フレームが配置され、前記支持フレームは前記垂直トランクの側壁に設けられることを特徴とする請求項３に記載の船舶用フロア装置。
【請求項５】
前記フロアフレームの面積は前記スラスタカニスタの上面の面積より小さく、前記スラスタカニスタに対する作業者のアクセスを邪魔しないことを特徴とする請求項１に記載の船舶用フロア装置。
【請求項６】
前記スラスタカニスタの上面には、前記フロアフレームの下面と接触可能な一つ以上のガイドポストが設けられることを特徴とする請求項１に記載の船舶用フロア装置。
【請求項７】
前記フロアフレームには、開閉可能なハッチが設けられることを特徴とする請求項１に記載の船舶用フロア装置。
【発明の詳細な説明】
【技術分野】
【０００１】
本発明は、上下移動可能な船舶用フロア装置に関し、より詳細には、船体内の垂直トランク内でスラスタカニスタの上下移動に伴って上下移動可能に設けられる船舶用フロア装置に関する。
【背景技術】
【０００２】
船舶には推進及び姿勢制御などを具現するためのスラスタ組立体が設けられる。このようなスラスタ組立体は、ドリルシップ（ｄｒｉｌｌ  ｓｈｉｐ）などのようにその位置を頻繁に変える船舶に主に利用されている。
【０００３】
特に、ドリルシップは、海上の一定の試錐地点に安定して維持する自己位置制御が可能であり、且つ、自体動力により航海を行うことができるように構成されている。このようなドリルシップのメイン推進と自己位置制御とを具現するための核心装備として、推進装置の一つであるスラスタ組立体が利用されている。このようなスラスタ組立体は、例えば、ドリルシップの船首部分に３機、船尾部分に３機が設けられ、夫々が３６０゜に回転可能なプロペラを備えているため、船舶の推進、逆推進、回転が可能な推進及び位置制御兼用の推進装置である。
【０００４】
スラスタ組立体は、プロペラを有する水中ユニットと、この水中ユニットの上部に設けられたスラスタカニスタ（ｔｈｒｕｓｔｅｒ  ｃａｎｉｓｔｅｒ）とを含むことができる。スラスタカニスタには、プロペラを駆動させる駆動モータ、油圧装置、潤滑装置などが設けられている。
【０００５】
また、スラスタ組立体は船体内の垂直トランク内で上下移動可能に設けられ、スラスタ組立体の補修及び維持管理をする場合、そして運河などのように水深が浅い地域などを通過する場合、スラスタ組立体が船体の垂直トランク内で上部に持ち上げられるように構成されている。
【０００６】
一方、極地方などで利用される極地用ドリルシップ（ａｒｔｉｃ  ｄｒｉｌｌ  ｓｈｉｐ）の場合、極地環境での外部作業をできるだけ回避するために、船体内部で各種荷役作業が行われるように構成される。このため、スラスタ組立体が設けられる垂直トランクの上部、即ち、船体のメインデッキの下部に、副食物コンテナなどを積み込む（ｌａｎｄｉｎｇ）ことができるランディングフロアが求められる。特に、ランディングフロアは、垂直トランク内で上下移動するスラスタカニスタとの干渉を回避し、且つ、船体内部での荷役作業が容易に行われるように構成されなければならない。
【発明の概要】
【発明が解決しようとする課題】
【０００７】
本発明は、上記のような問題点に鑑みてなされたもので、船体内の垂直にのびるように形成されたトランク内でコンテナの積み込みを容易にすることができる船舶用フロア装置を提供することをその目的とする。
【課題を解決するための手段】
【０００８】
上記のような目的を果たすための本発明の一側面によると、船体内の垂直トランクに設けられる船舶用フロア装置であって、前記垂直トランク内に、上下方向に移動可能に設けられたフロアフレームを含み、前記フロアフレームは、前記垂直トランク内で上下移動可能に設けられたスラスタカニスタの上下移動に連動して少なくとも一部区間に亘ってともに上下方向に移動することを特徴とする船舶用フロア装置が提供される。
【０００９】
前記船舶は極地用ドリルシップであることができる。また、前記フロアフレームは船体のメインデッキの下部に隣接した前記垂直トランクの上側空間に設けられ、前記フロアフレーム上にはコンテナの積み込みが可能で、前記コンテナに収容された貨物の荷役を船体の内部で行うことが好ましい。
【００１０】
前記船舶用フロア装置は、前記垂直トランクの側壁に設けられ、前記フロアフレームをガイドする少なくとも一対のガイドフレームをさらに含むことが好ましい。
【００１１】
前記ガイドフレームの下部には、前記フロアフレームを支持し、前記フロアフレームの下方への移動を制限する少なくとも一対の支持フレームが配置され、前記支持フレームは前記垂直トランクの側壁に設けられることが好ましい。
【００１２】
前記フロアフレームの面積は前記スラスタカニスタの上面の面積より小さく、前記スラスタカニスタに対する作業者のアクセスを邪魔しないことが好ましい。
【００１３】
前記スラスタカニスタの上面には、前記フロアフレームの下面と接触可能な一つ以上のガイドポストが設けられることができる。
【００１４】
前記フロアフレームには、開閉可能なハッチが設けられることができる。
【発明の効果】
【００１５】
上述のような本発明によると、船体の垂直トランク内でスラスタカニスタの上方のフロア装置がスラスタカニスタの上下移動に伴って上下移動するように構成されることにより、垂直トランク内でのコンテナの積み込みを容易に具現することができる。これにより、極地方のような厳しい環境で、船体の内部での荷役作業を容易に具現することができる長所がある。
【図面の簡単な説明】
【００１６】
【図１】本発明の一実施例による船舶用フロア装置を示した構成図である。
【図２】図１のＡで示す部分を拡大した拡大図である。
【図３】本発明の船舶用フロア装置がスラスタカニスタによって上方に移動した状態を示した図面である。
【図４】図２のＢ方向からみた平面図である。
【発明を実施するための形態】
【００１７】
以下、本発明の好ましい実施例を添付図面を参照して詳細に説明する。
【００１８】
図１から図４は本発明の一実施例による船舶用フロア装置を示す。図１に図示されたように、船舶、例えば、ドリルシップの船首及び船尾には複数のスラスタ組立体３０が設けられ、スラスタ組立体３０は、プロペラ３１を有する水中ユニット３２と、この水中ユニット３２の上部に設けられたスラスタカニスタ（ｔｈｒｕｓｔｅｒ  ｃａｎｉｓｔｅｒ）３３とを含む。スラスタカニスタ３３には、プロペラ３１を駆動させる駆動モータ、油圧装置、潤滑装置などが設けられている。
【００１９】
また、船舶内部の船首及び船尾側には垂直トランク３５が水密方式で垂直方向にのびるように形成され、垂直トランク３５の下部には開口が形成されている。スラスタ組立体３０の水中ユニット３２は垂直トランク３５の下部の開口によって船舶の下部に露出され、スラスタカニスタ３３は垂直トランク３５内で上下移動可能に設けられる。スラスタ組立体３０の補修及び維持管理をする場合、または運河などのように水深が浅い地域を通過する場合、垂直トランク３５内でスラスタカニスタ３３及び水中ユニット３２が上方に移動して持ち上げられる。スラスタカニスタ３３の上下移動は、スラスタカニスタ３３と垂直トランク３５との間に設けられたラックとピニオン（ｒａｃｋ  ａｎｄ  ｐｉｎｉｏｎ）などのような駆動メカニズムによって具現されることもできる。スラスタカニスタの上下移動を可能にする駆動メカニズムは、公知の何れの技術も活用することができ、本発明を限定しない。
【００２０】
このような垂直トランク３５の上側空間、即ち、船体のメインデッキ３７の下部に隣接する部分に本発明のフロア装置１０が設けられる。
【００２１】
本発明によるフロア装置１０は、垂直トランク３５内の上側空間、即ち、スラスタカニスタ３３の上方に設けられるフロアフレーム１１を含み、このフロアフレーム１１は垂直トランク３５に沿って上下移動可能に設けられる。
【００２２】
垂直トランク３５の上側空間にはストア（ｓｔｏｒｅ）などのような倉庫３６が隣接している。また、極低温環境に露出される極地用ドリルシップの場合、厳しい周辺環境のため、主に船体内で多様な荷役作業が行われることが好ましい。このため、垂直トランク３５の上側空間で倉庫３６側への各種荷役作業が行われるようにフロアフレーム１１が設けられ、このフロアフレーム１１の上に各種副食物などが収容されたコンテナ１９が積み込まれることができる。このコンテナ１９は副食物などの荷役が完了するとフロアフレーム１１から移動されるため、船舶の運航中の大部分の時間にはフロアフレーム１１上にはコンテナが存在しない。このように、大部分の時間でフロアフレーム１１上は空き空間であるため、スラスタカニスタ３３が上方に移動する必要がある時フロアフレーム１１も上方に移動しても、コンテナによる干渉は発生しない。
【００２３】
フロアフレーム１１の側面が垂直トランク３５の側壁に沿って案内されながら上下移動するように設けられ、特に、垂直トランク３５の側壁にはフロアフレーム１１の側面を案内する少なくとも一対のガイドフレーム１２が対称的に設けられる。
【００２４】
また、ガイドフレーム１２の下部には支持フレーム１３が設けられ、この支持フレーム１３は垂直トランク３５の側壁に少なくとも一対のものが対称的に設けられることができる。この支持フレーム１３は、図１及び図２に示すように、フロアフレーム１１がガイドフレーム１２の最下側に位置した状態でフロアフレーム１１の側面下部の端を堅固に支持することができる。また、ガイドフレーム１２は、スラスタカニスタ３３が上方に移動する時、スラスタカニスタ３３との干渉が発生しないように構成されることが好ましい。
【００２５】
フロアフレーム１１はスラスタカニスタ３３の上部との干渉を回避するように設けられ、特に、フロアフレーム１１は、図４に図示されたように、スラスタカニスタ３３の上面の面積より小さい面積に形成されることもできる。このように構成することにより、作業者のスラスタカニスタ３３へのアクセスが容易になる。即ち、フロアフレーム１１がスラスタカニスタ３３に通じる通路を完全に塞いでいないため、作業者がスラスタカニスタ３３に容易にアクセスすることができる。図４には、フロアフレーム１１が略Ｔ字状であるものが図示されているが、本発明のフロアフレームの形状はこれに限定されるものではない。
【００２６】
また、フロアフレーム１１には一つ以上のハッチ１４が開閉可能に設けられる。このハッチ１４を介してスラスタカニスタ３３側に作業者が出入りすることができ、また装備維持補修のための通路として利用できるように構成してもよい。この他にも、フロアフレーム１１には安全を考慮したハンドレール及びグレーティングプレートなどが備えられることもできる。
【００２７】
図１及び図２に示すように、スラスタ組立体３０が垂直トランク３５内で下方に移動した状態、即ち、スラスタ組立体３０の水中ユニット３２が船体の下部に突出された状態では、フロアフレーム１１とスラスタカニスタ３３とは一定間隔で離隔されている。
【００２８】
また、スラスタ組立体３０が上方に移動すると、図３に示すように、スラスタカニスタ３３はフロアフレーム１１の下面と隣接するようになり、スラスタカニスタ３３の上面がフロアフレーム１１の下面と接触しながらフロアフレーム１１を上方に押すことにより、フロアフレーム１１が上方に移動する。
【００２９】
一実施例によると、スラスタカニスタ３３の上面には一つ以上のガイドポスト３４が設けられ、このガイドポスト３４は、スラスタカニスタ３３が上方に移動してフロアフレーム１１の下面と隣接する時、ガイドポスト３４がフロアフレーム１１の下面と接触することにより、フロアフレーム１１がスラスタカニスタ３３の上方移動に連動して容易に上方に移動する。
【００３０】
ガイドポスト３４は、スラスタカニスタ３３の上面に設けられるゴムなどの緩衝部材に代替されることができる。
【００３１】
また、図３の状態で、スラスタカニスタ３３が下方に移動する場合には、フロアフレーム１１はスラスタカニスタ３３のガイドポスト３４によって安定して支持されながら下方に移動する。
【００３２】
フロアフレーム１１は、スラスタカニスタ３３の上下移動区間の全体に亘ってともに移動するように構成されてもよく、少なくとも一部区間でのみともに移動するように構成されてもよい。一部区間でのみともに移動する場合、図２に図示されたように、スラスタカニスタ３３が下方に移動した状態ではフロアフレーム１１とスラスタカニスタ３３とは接触していないが、スラスタカニスタ３３が上方に移動する途中にフロアフレーム１１と接触して、図３に図示されたように、フロアフレーム１１を上方に押しながらともに移動する。この際、スラスタカニスタ３３が下方に移動する場合には、フロアフレーム１１は支持フレーム１３によって下方への移動が制限されることができる。
【符号の説明】
【００３３】
１０：フロア装置、１１：フロアフレーム、１２：ガイドフレーム、１３：支持フレーム、１４：ハッチ、１９：コンテナ、３０：スラスタ組立体、３１：プロペラ、３２：水中ユニット、３３：スラスタカニスタ、３４：ガイドポスト、３５：垂直トランク、３６：倉庫
【図１】
2013540638.tif 000003
【図２】
2013540638.tif 000004
【図３】
2013540638.tif 000005
【図４】
2013540638.tif 000006
【国際調査報告】
2013540638.tif 000007
2013540638.tif 000008
2013540638.tif 000009
2013540638.tif 000010